(57)【要約】【課題】  全自動刷版交換中に全自動刷版交換装置を装備した安全カバーを作業者が誤って開かないようにするためのロック機構の提供【解決手段】  両側版８、８に電磁スイッチ７２を設け、安全カバー１０が閉状態のとき電磁スイッチ７２に係合する係合部７１を安全カバー１０の下端部両側に設け、全自動刷版交換中は電磁スイッチ７２に通電することで、係合部７１を電磁スイッチ７２から離脱不能に保持し、安全カバー１０が開かないようにロックする。【選択図】  図１
2011104883.tif 000002
【特許請求の範囲】
【請求項１】
印刷ユニットの版胴の刷版を全自動で交換する全自動刷版交換装置を装備した安全カバーを有する印刷機において、
該刷版を全自動で交換する工程中、該安全カバーの閉状態を保持するロック機構が設けられたことを特徴とする印刷機。
【請求項２】
該印刷ユニットの側板に電磁スイッチを設け、
該安全カバーが閉状態のとき該電磁スイッチに係合する係合部を該安全カバーに設け、
該電磁スイッチは、該係合部が係合し、かつ通電している間、該係合部を離脱不能に保持することを特徴とする請求項１に記載の印刷機。
【発明の詳細な説明】
【技術分野】
【０００１】
本発明は、印刷機において、印刷ユニットの版胴に刷版（新版）を挿入または前記版胴から刷版（旧版）を排出する全自動刷版交換装置を装備した開閉可能な安全カバーの構造に関する。
【背景技術】
【０００２】
従来、この種の印刷機は、版胴に刷版を取り付ける工程（給版工程）の場合、まず、作業者が刷版を安全カバーの所定位置にセットしておく。次に、給版装置で刷版のくわえ端を版胴に設けたくわえクランプに挿入した後、くわえクランプを閉じて刷版のくわえ端をくわえる。次に、版胴を正転させて刷版を誘導部材に案内させながら所定量巻付けていく。その後、版胴に設けたくわえ尻クランプを閉じて刷版のくわえ尻端をくわえる（特許文献１参照）。
【０００３】
版胴から刷版を取り外す工程（排版工程）の場合、まず、くわえ尻クランプを開き、刷版のくわえ尻端部をその弾性で版胴から離反させ誘導部材に当てる。次に版胴を逆転させ、刷版を誘導部材の誘導により版胴から案内経路内に排出していく。版胴を所定量逆転させた後、くわえクランプを開き、刷版のくわえ端を開放する。その後、排版装置で刷版をくわえクランプから抜き取る（特許文献２、特許文献３参照）。
【先行技術文献】
【特許文献】
【０００４】
【特許文献１】特開２００６−７５９６号公報
【特許文献２】特開２００６−７５９５号公報
【特許文献３】特開２００６−７５９４号公報
【発明の概要】
【発明が解決しようとする課題】
【０００５】
ところで、このような全自動刷版交換装置を装備した安全カバーは、印刷機がどのような状態でも常に作業者による開閉が可能であった。たとえば全自動刷版交換が行われているときでも作業者による開閉が可能であった。
【０００６】
全自動刷版交換中に全自動刷版交換装置を装備した安全カバーを開いた場合、たとえば、給版工程において、給版装置が刷版のくわえ端を版胴に設けたくわえクランプに挿入しようとしているときに安全カバーを開いた場合、刷版のくわえ端は正常にくわえクランプに挿入されず、不具合（給版不良）が発生してしまう。
【０００７】
また、排版工程において、版胴を逆転させ刷版を誘導部材の誘導により版胴から案内経路内に排出しているときに安全カバーを開いた場合、刷版は案内経路から逸脱し正常に排出されなくなる不具合（排版不良）が発生してしまう。
【課題を解決するための手段】
【０００８】
本発明は、上記課題を解決すべくなされたものであり、印刷ユニットの版胴の刷版を全自動で交換する全自動刷版交換装置を装備した安全カバーにおいて、前記刷版を全自動で交換する工程中、前記安全カバーの閉状態を保持するロック機構が設けられたことを特徴とする。
【０００９】
より具体的には、上記本発明の印刷機において、前記ロック機構は、前記印刷ユニットの側板（フレーム）に電磁スイッチを設け、前記安全カバーに前記安全カバーが閉状態のとき前記電磁スイッチに係合する係合部を設け、前記電磁スイッチは、前記係合部が係合し、かつ通電している間、前記係合部を離脱不能に保持することを特徴とする。
【発明の効果】
【００１０】
本発明における印刷機において、全自動刷版交換の工程中、全自動刷版交換装置を装備した安全カバーを閉状態で保持することで、作業者が誤って前記安全カバーを開けることに起因する給版不良および排版不良を防止することができる。
【図面の簡単な説明】
【００１１】
【図１】本発明の実施形態を示す印刷機の給版時の動作を示す概略断面図。
【図２】同じく排版時の動作を示す概略断面図。
【発明を実施するための形態】
【００１２】
以下、本発明の実施形態に係る印刷機を、枚葉印刷機を例に図面に基づいて説明する。図１および図２は枚葉印刷機の印刷部の概略断面図である。
【００１３】
一般に、枚葉印刷機は、上流側に給紙部を有し、下流側に排紙部を有し、その中間に印刷部（印刷ユニットとも呼ばれる）を配置している。これらの図は、何れも当該印刷部１の構造を示す図である。この実施形態では、一個の印刷部１を代表して記載しているが、印刷部１は、印刷に使用するインキの色の数に応じた数だけ給紙部と排紙部との間に並べて配置されている。
【００１４】
図１および図２に示すように、印刷部１は、本体カバー２と、両側板８，８と、刷版３を巻付けるための版胴４と、版胴４にインキを供給する複数のインキローラ６を含むインキ装置を有している。なお、版胴４は両側板８，８に支軸４ａを介して回転自在に支持されている。符号５は、版胴４に転接可能なゴム胴（ブランケット胴）を示す。本体カバー２は、両側板８，８間の下流側Ｂ１に配置される全自動刷版交換装置を装備した安全カバー１０を備え、安全カバー１０は、両側板８，８間に上下動可能に取付けられることで、両側板８，８間の下流側Ｂ１を開閉可能に構成されている。
【００１５】
版胴４は、刷版３をくわえるための公知のクランプ装置１５を有し、このクランプ装置１５は、刷版３のくわえ端２０をくわえるくわえクランプ２１と、刷版３のくわえ尻端２２をくわえるくわえ尻クランプ２３とを周方向に対で有している。
【００１６】
安全カバー１０の表面側上部に、上下一対の刷版案内杆４５，４６が互いに平行、かつ回転可能に掛渡されている。これら刷版案内杆４５，４６は、上下に所定の離間幅を有し、それぞれ安全カバー１０の表面から刷版３が通過可能な距離δの隙間を有して配置されている。安全カバー１０の表面側下部には、受け枠部材４２が取付けられている。受け枠部材４２と刷版設置姿勢Ｃ１における、後述する刷版案内板３１の表面との間には、刷版３のくわえ端２０が挿入可能な隙間が設けられ、受け枠部材４２には前記隙間側に刷版３を係止する係止部（突起）が設けられている。
【００１７】
安全カバー１０は、その下部に給版装置Ａを有している。給版装置Ａには刷版案内板３１が、安全カバー１０の裏面側に設けた支軸３１ａを介して傾動自在に取付けられている。安全カバー１０の裏面側側部には、刷版案内板３１を安全カバー１０の表面と略同一面となる刷版設置姿勢Ｃ１と版胴４側に傾動した給版姿勢Ｃ２とに切替えるための公知の駆動装置が設けられている。
【００１８】
給版装置Ａは、刷版３の版裏面を吸引吸着するための吸引装置５１を有する。吸引装置５１は、刷版案内板３１の裏面側に設けられ、その吸引部が刷版案内板３１の表面からわずかに突出している。吸引装置５１は、刷版案内板３１の下方に位置して刷版３を吸引吸着する吸引位置Ｅ１と、刷版３を吸引吸着した状態でクランプ１５側に位置する給版位置Ｅ２とに切替え自在とされている。刷版案内板３１の裏面側には、吸引位置Ｅ１と給版位置Ｅ２とに切替えるための公知の駆動装置が設けられている。
【００１９】
給版装置Ａは、給版、排版時に、刷版３を案内する補助案内装置９６を有する。補助案内装置９６は、安全カバー１０に支軸９６ａを介して回動自在に支持された傾動板９７と、この傾動板９７の先端部に配置された複数個の誘導部材９８を有する。補助案内装置９６は、給版誘導姿勢Ｆ１と排版誘導姿勢Ｆ２とに公知の駆動装置で傾動可能になっている。給版誘導姿勢Ｆ１は給版方向Ｇ１に移動してくわえ端２０がクランプ１５のくわえクランプ２１にくわえられた刷版３を、版胴４に巻付けるよう誘導案内するものであり、排版誘導姿勢Ｆ２は刷版３の排版時に刷版３を排版方向Ｇ２に誘導するものである。
【００２０】
安全カバー１０は、版胴４に巻付いた刷版３を安全カバー１０の上部から排出するための排版装置９０を有する。この排版装置９０は、安全カバー１０の裏面側上部に配置された前後一対の排版案内板９１，９２と、刷版３を前後両側から挟持する挟持ローラ９３，９４とを有する。前後一対の排版案内板９１，９２の間の空間は排版時の刷版３を案内する案内経路となる。挟持ローラ９３，９４は、不図示の共通のエアシリンダ装置によって排版案内板９１，９２に沿って上下動可能に設けられ、他方の挟持ローラ９４は、排版案内板９１，９２に沿って上下動可能に設けられるとともに、その動作に伴って一方の挟持ローラ９３に接近離間自在に構成されている。すなわち、他方の挟持ローラ９４は、不図示のばねにより一方の挟持ローラ９３に向けて弾発付勢され、安全カバー１０に、他方の挟持ローラ９４が下方にある際にこれを一方の挟持ローラ９３に対して離間させその位置を保持させるためのステー９５が設けられている。
【００２１】
安全カバー１０の下端両側には、安全カバー１０が閉状態のとき電磁スイッチ７２に係合する係合部７１を設け、印刷ユニットの両側板８，９に電磁スイッチ７２が設けられている。電磁スイッチ７２は、係合部７１が係合し、かつ通電している間、係合部７１を離脱不能に保持する。この通電は、全自動刷版交換の工程中は続くように制御されている。
【００２２】
上記のような構成で、版胴４に刷版３を取り付ける工程（給版工程）について図１をもとに説明する。この場合作業者は、刷版案内板３１を刷版設置姿勢Ｃ１とした状態で、刷版３を安全カバー１０と刷版案内杆４５との隙間に挿入する。続いて、さらに刷版３を降ろして安全カバー１０の表面と下方の刷版案内杆４６との隙間に送り、受け枠部材４２の係止部に刷版３のくわえ端２０を係止させておく。
【００２３】
次に、操作者が不図示の給版スイッチを操作すると、吸引装置５１に接続した吸引ポンプが駆動し、刷版３の版裏面を吸引する。このとき吸引装置５１は吸引位置Ｅ１に位置している。
【００２４】
次に、版胴４が回転し、くわえクランプ２１が刷版３のくわえ端２０を挿入する位置で停止した後、刷版案内板３１が吸引装置５１により刷版３を吸引した状態で、駆動装置により給版位置Ｃ２へ移動する。このとき、補助案内装置９６は、給版誘導姿勢Ｆ１に駆動装置により傾動される。
【００２５】
次に、吸引装置５１が不図示の駆動装置により吸引位置Ｅ１から給版位置Ｅ２へと移動すると、刷版３のくわえ端２０がくわえクランプ２１に挿入される。
【００２６】
このとき、作業者が誤って安全カバー１０を開けた場合、刷版３のくわえ端２０がくわえクランプ２１に挿入されず給版不良となってしまうが、本発明においては、安全カバー１０の下端部両側に設けた係合部７１が電磁スイッチ７２に係合し、電磁スイッチ７２は通電されているので、係合部７１は離脱不能に保持されており、安全カバー１０は開かないようにロックされている。これにより作業者が誤って安全カバー１０を開けることを回避できる。
【００２７】
刷版３のくわえ端２０がくわえクランプ２１に挿入された後、くわえクランプ２１を閉じて刷版３のくわえ端２０をくわえる。その後、版胴４が反時計回りに回転（正転）し、刷版３を版胴４に所定量巻付けていく。このとき、傾動板９７の先端部に配置された複数個の誘導部材９８により刷版３は案内される。その後、版胴４に設けたくわえ尻クランプ２３を閉じて刷版３のくわえ尻端２２をくわえる。
【００２８】
印刷が終了して版胴４から刷版３を取り外す工程（排版工程）の場合、図２に示すように刷版案内板３１は刷版設置姿勢Ｃ１に位置しており、補助案内装置９６は、排版誘導姿勢Ｆ２に位置している。この状態で、クランプ装置１５が所定の位置に来るよう版胴４を回転させ、くわえ尻クランプ２３による刷版３のくわえ尻端２２のくわえ状態を解除する。そうすると、刷版３のくわえ尻端２２がその弾性によって版胴４から外れ、排版誘導姿勢Ｆ２に位置している傾動板９７の先端部に配置された複数個の誘導部材９８に当たる。次に、版胴４を時計方向に回転（逆転）させると、刷版３の途中部分は順次版胴４から離れ、誘導部材９８により排版方向Ｇ２へ誘導されながら刷版３のくわえ尻端２２から順次排版案内板９１，９２間の案内経路内に送られる。
【００２９】
このとき、作業者が誤って安全カバー１０を開けた場合、刷版３は排版案内板９１，９２間の案内経路内に誘導されず、排版不良となってしまうが、本発明においては、安全カバー１０の下端部両側に設けた係合部７１が電磁スイッチ７２に係合し、電磁スイッチ７２は通電されているので、係合部７１は離脱不能に保持されており、安全カバー１０は開かないようにロックされている。これにより作業者が誤って安全カバー１０を開けることを回避できる。
【００３０】
次に、さらに、版胴４が時計方向に回転し、所定の位置で停止し、くわえクランプ２１による刷版３のくわえ端２０のくわえ状態を解除する。その後、刷版３は挟持ローラ９３，９４で表裏面を挟持された状態で、公知のシリンダ装置の駆動により挟持ローラ９３，９４の上動とともに安全カバー１０の上部から外部へ排版される。
【産業上の利用可能性】
【００３１】
本発明に係る印刷機は、全自動刷版交換装置を装備した安全カバーを有する枚葉印刷機において極めて有用である。
【符号の説明】
【００３２】
１…印刷部、２…本体カバー、３…刷版、４…版胴、４ａ…支軸、５…ゴム胴、６…インキローラ、１０…安全カバー、１５…クランプ装置、２０…くわえ端、２１…くわえクランプ、２２…くわえ尻端、２３…くわえ尻クランプ、３１…刷版案内板、３１ａ…支軸、４２…受け枠部材、５１…吸引装置、７１…係合部、７２…電磁スイッチ、９０…排版装置、９１，９２…排版案内板、９３，９４…挟持ローラ、９６…補助案内装置、９６ａ…支軸、９７…傾動板、９８…誘導部材、Ａ…給版装置
【図１】
2011104883.tif 000003
【図２】
2011104883.tif 000004